(57)【特許請求の範囲】
【請求項１】
建築物の構造部材を支持する躯体部と、該躯体部の下部に位置しその幅方向両側に張り出した横断面矩形状のフーチング部を一体に形成した基礎ブロックであって、前記フーチング部の内部に室内暖房の排気を通す中空部を形成するとゝもに、該中空部をフーチング部の両端面にそれぞれ形成した開口部で外部と連通せしめてなる構成としたことを特徴とする建築物用基礎ブロック。
【請求項２】
平面視がＬ字形，Ｔ字形又は十字形の基礎ブロックであって、フーチング部の内部に形成した室内暖房の排気を通す中空部を前記フーチング部の両端面，３端面又は４端面にそれぞれ形成した開口部で外部と連通せしめてなる構成としたことを特徴とする請求項１記載の建築物用基礎ブロック。
【請求項３】
躯体部の幅方向の片側にフーチング部の上面から前記躯体部の上面まで延びた膨出部を形成してその内部に縦穴を形成するとゝもに、該縦穴の下端は前記フーチング部の内部に形成した室内暖房の排気を通す中空部と連通し、上端は前記躯体部の上面に開口する吸気口又は排気口を形成する構成としたことを特徴とする請求項１記載の建築物用基礎ブロック。
【請求項４】
躯体部の幅方向の両側にフーチング部の上面から前記躯体部の上面まで延びた前後一対の膨出部を左右方向に位置をずらして形成してその内部に縦穴を夫々形成するとゝもに、各縦穴の下端は両縦穴の境界部に設けた仕切壁により左右に仕切った前記フーチング部内の室内暖房の排気を通す中空部の左右何れか一方と夫々連通し、上端は前記躯体部の上面に開口する吸気口又は排気口の何れか一方を形成する構成としたことを特徴とする請求項１記載の建築物用基礎ブロック。
【発明の詳細な説明】
【０００１】
【発明の属する技術分野】
本発明は、建築物の構造部材を支持する基礎ブロック、特に寒冷地における住宅用の基礎ブロックに使用して最適な建築物用基礎ブロックに関する。
【０００２】
【従来の技術】
図１１に示すように、従来の建築物用の基礎ブロックＡは、建築物の構造部材Ｍを支持する直立な躯体部Ｂと、該躯体部Ｂの下端に設けた水平なフーチング部Ｃとからなる逆Ｔ字状のものであって、これを建築物外周と間仕切部分の下に連続して敷設することにより布基礎を構築している。
【０００３】
然るに、特に北海道や東北等の地盤の凍結深度の深い地域においては、布基礎の下方の土壌が凍結すると氷結時の膨張力によって布基礎が押し上げられ、凍土が融解した後は布基礎が浮き上がってしまう虞がある。そこで、従来の布基礎の根入れ深さは６０ｃｍ程度であるが、北海道や東北地域では凍結深度Ｚより深い位置に前記フーチング部Ｃを設置して、根入れを多くいれている。
【０００４】
【発明が解決しようとする課題】
このように、凍上防止対策として根入れを深くして施工しているが、図１０に示すように、根入れを深くして施工した場合にはフーチング部Ｃの上に埋め戻す土Ｓの量も増えることになる。しかし、基礎はその接地圧が設計値耐力を越えないように設計する必要がある。この条件を満たすためには、図１１において、躯体部Ｂの高Ｈさを大きくし又垂直荷重を支えるフーチング部Ｃの横幅Ｗの長さも長くしなければならない。その結果、各基礎ブロックＡの寸法が大きくなって重量が増加することと、基礎ブロックＡを敷設する際の地盤の掘削深さが深くなり且つ掘削土量も多くなるため工事費が余計に嵩んでしまうといった問題点がある。
【０００５】
【課題を解決するための手段】
本発明は、上記のような従来の問題点を解決するためになされたもので、基礎ブロックの下方に設けたフーチング部を中空としてブロックの自重を小さくし、該中空部に室内暖房の排気（暖気）を通すことにより周囲の地盤の凍結を防ぎ、基礎の浮き上がりを無くすことができるものを提供することを目的としたものであり、その要旨は、建築物の構造部材を支持する躯体部と、該躯体部の下部に位置しその幅方向両側に張り出した横断面矩形状のフーチング部を一体に形成した基礎ブロックであって、前記フーチング部の内部に室内暖房の排気を通す中空部を形成するとゝもに、該中空部をフーチング部の両端面にそれぞれ形成した開口部で外部と連通せしめてなる構成としたことを特徴とする建築物用基礎ブロック等にある。
【０００６】
【発明の実施の形態】
以下、本発明を図面に示す実施例により詳細に説明するに、図１において、１は建築用基礎ブロックで、建築物の構造部材Ｍを支持する躯体部２と、該躯体部２の下部に位置しその幅方向（図面中前後方向）の両側に張り出した横断面矩形状のフーチング部３とから形成されており、該フーチング部３の内部にはその長さ方向（図面中左右方向）の全長にわたって中空部４が形成されている。５は開口部で、前記フーチング部３の左右両端部に形成されており、前記中空部４はこの左右の開口部５，５により外部と連通している。
【０００７】
図２乃至図５に示すものは前記建築用基礎ブロック１の変形構造体のもので、図２に示す基礎ブロックはコーナー部に、図３に示すものは３交差路部に、また図４に示すものは４交差路部に夫々使用するものであり、その基本的な構成は前記図１に示す基礎ブロック１と同一構造のものである。
【０００８】
すなわち、図２に示す建築用基礎ブロック１Ａは、平面視がＬ字状（以下、Ｌ字状という）に折曲した躯体部２Ａと、該躯体部２Ａの下部に位置し夫々の幅方向の両側に張り出したＬ字状の横断面矩形状のフーチング部３Ａとから形成されており、該フーチング部３Ａの内部にはＬ字状の中空部４Ａが形成されている。５Ａは開口部で、前記フーチング部３Ａの両端部に夫々形成されており、前記中空部４Ａはこの開口部５Ａ，５Ａにより外部と連通している。
【０００９】
また図３に示す建築用基礎ブロック１Ｂは、平面視がＴ字状（以下、Ｔ字状という）の躯体部２Ｂと、該躯体部２Ｂの下部に位置し夫々の幅方向の両側に張り出したＴ字状の横断面矩形状のフーチング部３Ｂとから形成されており、該フーチング部３Ｂの内部にはＴ字状の中空部４Ｂが夫々形成されている。５Ｂは開口部で、一方のフーチング部３Ｂの両端部と、これと直交するフーチング部３Ｂの一端部に夫々形成されており、前記中空部４Ｂはこの３つの開口部５Ｂにより外部と連通している。
【００１０】
さらに、図４に示す建築用基礎ブロック１Ｃは、平面視が十字状（以下、「十字状」という）の躯体部２Ｃと、該躯体部２Ｃの下部に位置し夫々の幅方向の両側に張り出した十字状の横断面矩形状のフーチング部３Ｃとから形成さており、各フーチング部３Ｃの内部には十字状の中空部４Ｃが形成されている。５Ｃは開口部で、前一方のフーチング部３Ｃの両端部と、これと直交するフーチング部３Ｃの両端部に夫々形成されており、前記中空部４Ｃはこの４つの開口部５Ｃにより外部と連通している。
【００１１】
また図５に示すものは、前記図１に示す建築用基礎ブロック１に一個の吸気口又は排気口を設けたもので、この建築用基礎ブロック１１は、躯体部１２の幅方向の片側（図中前側）に、フーチング部１３の上面から前記躯体部１２の上面まで延びた膨出部１４を形成し、該膨出部１４の内部に縦穴１５を形成するとゝもに、該縦穴１５の下端は前記フーチング部１３内にその全長にわたって形成した中空部１６と連通している。そして、前記縦穴１５の上端は前記躯体部１２の上面に開口する吸気口又は排気口１７を形成しており、前記中空部１６は前記縦穴１５，吸気口又は排気口１７を介して外部と連通している。
【００１２】
さらに、図６に示すものは、前記図１に示す建築用基礎ブロック１に吸気口と排気口を夫々設けたもので、この建築用基礎ブロック２１は、躯体部２２の幅方向の前後両側に、フーチング部２３の上面から前記躯体部２２の上面まで延びた前後一対の膨出部２４，２５を左右方向に位置をずらして夫々設け、各膨出部２４，２５の内部に縦穴２６，２７をそれぞれ形成するとゝもに、各縦穴２６及び２７の上端は吸気口２８及び排気口２９の何れか一方を形成している。
【００１３】
また、前記縦穴２６及び２７の下端は、前記フーチング部２３内にその全長にわたって形成した中空部３０とそれぞれ連通しているが、該中空部３０は前記両縦穴２６，２７の中間部に設けた仕切壁３１により左右に仕切られている。したがって、一方の縦穴２６は左側に延びる中空部３０と、他方の縦穴２７はこれと反対側の右側に延びる中空部３０と夫々連通しており、一方の縦穴２６の上端は前記吸気口２８を、他方の縦穴２７の上端は排気口２９をそれぞれ形成する構成としたものである。
【００１４】
次に、その使用方法を説明するに、図７に示すように、前記各建築用基礎ブロック１，１Ａ，２１をそれぞれ組み合わせて、各開口部を突き合わせながら連続して敷設することにより布基礎Ｓを構築する。この場合、図９に示すように、各ブロックを敷設する地盤上に割り栗石Ｋを敷並べ、その上に捨てコンクリートＬを打設して基礎Ｒを作り、該基礎Ｒの上に夫々各ブロック１，１Ａ，２１を組み合わせて設置した後、フーチング部３に埋め戻し土をかけて地表面Ｇの高さを合わせ、前記布基礎Ｓの上に建物を構築する。
【００１５】
そして、建築用基礎ブロック２１の中空部３０内に、前記布基礎Ｓの内側に位置する吸気口２８，縦穴２６を介して建築物の室内の床に設けた穴から暖気を送風する。そして、布基礎Ｓの各中空部を左回り方向に通して一巡させた後、前記基礎ブロック２１の外側に位置する縦穴２７，排気口２９を介して冷たくなった空気を排出する。この場合において、基礎ブロック２１の中空部３０内は仕切壁３１により左右に仕切られているので、吸気口２８から吸入される暖気と排気口２９から排出される寒気とが混ざり合うことはない。
【００１６】
さらに建築物が大型の場合、図８に示すように、吸気口又は排気口１７を１つ備えた基礎ブロック１１を所望の間隔をおいて複数個敷設し、温度の低下した通気に暖気を補給することも可能である。
【００１７】
ここで、図１１に示す従来の基礎ブロックＡにおいては、そのフーチング部Ｃの高さ（
厚さ）は０．１５ｍ程度であるが、本発明の基礎ブロックでは、そのフーチング部の厚さを最低で０．６ｍ程度とすることが望ましい。これは十分な暖気を地盤に伝えるためには中空部を大きく形成して多量の暖気を通し、コンクリート自体を温めなければならないからである。
【００１８】
而して、冬期に入り定期的に室内暖房されるようになると、この暖気が吸気口から布基礎Ｓの中空部に入り、排気口から排気される間において、各基礎ブロックはこの暖気により温められる。そして、コンクリートの特性として「温まりにくく、冷めにくい」ので、夜間に基礎ブロックの周囲の地盤が温められ、地盤の凍結を防止することができる。
【００１９】
【発明の効果】
本発明に係る基礎ブロックは、上記のように、基礎ブロックの下方に設けたフーチング部の内部に室内暖房の排気を通す中空部を形成し、該中空部に暖気を通すことにより基礎ブロックの周囲の地盤の凍結を防ぎ、基礎の浮き上がりを防止することができる。また、フーチング部の内部に室内暖房の排気を通す中空部を形成することで基礎ブロックの自重が小さくなるのでフーチング部の厚さを従来に比べて大きくすることができ、フーチング部の上に堆積される土量が少なくなる。したがって、フーチング部の上面にかかる荷重が軽減されるため、基礎ブロックを大型にすることなく接地圧を設計値耐力以内に抑えることができるといった諸効果がある。
【図面の簡単な説明】
【図１】  本発明に係る基礎ブロックの斜視図である。
【図２】  他実施例の斜視図と同図のイーイ線矢視断面図である。
【図３】  他実施例の斜視図と同図のローロ線矢視断面図である。
【図４】  他実施例の斜視図と同図のハーハ線矢視断面図である。
【図５】  他実施例の斜視図と同図のニーニ線，ホーホ線矢視断面図である。
【図６】  他実施例の斜視図と同図のヘーヘ線，トート線矢視断面図である。
【図７】  本発明に係る基礎ブロックの使用状態を示す斜視図である。
【図８】  本発明に係る基礎ブロックの他の使用状態を示す斜視図である。
【図９】  本発明に係る基礎ブロックの敷設状態を示す断面説明図である。
【図１０】  従来の基礎ブロックの敷設状態を示す断面図である。
【図１１】  従来の基礎ブロックの斜視図である。
【符号の説明】
１  基礎ブロック
２  躯体部
３  フーチング部
４  中空部
５  開口部
１４  膨出部
１５  縦穴
１７  吸気口又は排気口
【図１】
0003851719.tif 000002
【図２】
0003851719.tif 000003
【図３】
0003851719.tif 000004
【図４】
0003851719.tif 000005
【図５】
0003851719.tif 000006
【図６】
0003851719.tif 000007
【図７】
0003851719.tif 000008
【図８】
0003851719.tif 000009
【図９】
0003851719.tif 000010
【図１０】
0003851719.tif 000011
【図１１】
0003851719.tif 000012